(57)【要約】  【課題】  録画に係るタイトルを相異させることで、録画した番組を容易に検索可能にする。  【解決手段】  番組記録装置は、ＶＰＳ／ＰＤＣ信号に係る開始コードを受け付けて録画を行っている最中又は録画の一時停止中に、受信した開始コードに変化があるか否かを検出する。変化を検出した場合、録画を停止してから、直ちに変化した開始コードに基づき録画を再開する。このように一時停止の前後に開始コードが変化した場合、録画を停止する処理を介在させて、一時停止の前後に録画された番組に係るタイトルを相異させる。録画された番組をサムネイルで表示する場合、サムネイルはタイトル毎に番組の画像を表示するため、録画された各番組に係る画像は必ず表示され検索が容易になる。【選択図】      図３
2005204176.tif 000002
【特許請求の範囲】
【請求項１】
放送番組固有のコード信号を受信するコード受信手段と、該コード信号に係る番組の記録予約を受け付ける予約受付手段と、前記予約受付手段が受け付けた記録予約の番組をタイトル毎に記録する記録手段とを備える番組記録装置において、
前記コード信号に係る番組の記録中に前記コード受信手段が受信するコード信号に変化があるか否か、又は記録の一時停止中に前記コード受信手段が受信するコード信号が記録の一時停止前に受信したコード信号に対し変化があるか否かを検出する変化検出手段と、
該変化検出手段がコード信号に変化があることを検出した場合、記録に係るタイトルを変更するタイトル変更手段と
を備え、
前記記録手段は、前記タイトル変更手段が変更したタイトルで記録を行う手段を備えることを特徴とする番組記録装置。
【請求項２】
放送番組固有のコード信号を受信するコード受信手段と、該コード信号に係る番組の記録予約を受け付ける予約受付手段と、該記予約受付手段が受け付けた記録予約の番組を記録開始から記録停止までを１タイトルとして記録する記録手段とを備える番組記録装置において、
前記コード信号に係る番組の記録中に前記コード受信手段が受信するコード信号に変化があるか否か、又は記録の一時停止中に前記コード受信手段が受信するコード信号が記録の一時停止前に受信したコード信号に対し変化があるか否かを検出する変化検出手段と、
該変化検出手段がコード信号に変化があることを検出した場合、記録した番組の保存処理のため記録停止を行う記録停止手段と、
該変化検出手段がコード信号に変化があることを検出した場合、記録に係るタイトルを変更するタイトル変更手段と
を備え、
前記記録手段は、前記記録停止手段による記録停止後、前記タイトル変更手段が変更したタイトルで記録を行う手段を備えることを特徴とする番組記録装置。
【請求項３】
放送番組固有のコード信号を受信するコード受信手段と、該コード信号に係る番組の記録予約を受け付ける予約受付手段と、該予約受付手段が受け付けた記録予約の番組を記録媒体に記録する記録手段とを備える番組記録装置において、
前記コード信号に係る番組の記録中に前記コード受信手段が受信するコード信号に変化があるか否か、又は記録の一時停止中に前記コード受信手段が受信するコード信号が記録の一時停止前に受信したコード信号に対し変化があるか否かを検出する変化検出手段と、
該変化検出手段がコード信号に変化があることを検出した場合、コード信号の変化後に前記記録手段が記録した記録媒体の位置を記憶する位置記憶手段と、
該位置記憶手段が記憶する位置に記録された番組の画像信号の出力指示を受け付ける出力受付手段と、
該出力受付手段が前記出力指示を受け付けた場合、前記画像信号を出力する画像出力手段と
を備えることを特徴とする番組記録装置。
【請求項４】
放送される番組の記録指示を受け付ける指示受付手段と、コード信号に係る番組の記録予約を受け付ける予約受付手段と、前記指示受付手段が受け付けた記録指示又は前記予約受付手段が受け付けた記録予約に基づき記録開始から記録停止までを１タイトルとして番組を記録する記録手段とを備える番組記録装置において、
前記コード信号に係る番組の記録中又は記録の一時停止中に、前記指示受付手段が受け付けた記録指示を有るか否かを検出する検出手段と、
該検出手段が記録指示を検出した場合、記録を停止する記録停止手段と
を備え、
前記記録手段は、前記記録停止手段が記録を停止した後、前記記録指示に基づき記録を再開する手段を備えることを特徴とする番組記録装置。
【請求項５】
放送される番組の記録指示を受け付ける指示受付手段と、放送番組固有のコード信号を受信するコード受信手段と、該コード信号に係る番組の記録予約を受け付ける予約受付手段と、前記指示受付手段が受け付けた記録指示又は前記予約受付手段が受け付けた記録予約に基づきタイトル毎に番組を記録する記録手段とを備える番組記録装置において、
前記コード信号に係る番組の記録中又は記録の一時停止中に、前記指示受付手段が受け付けた記録指示が有るか否かを検出する検出手段と、
該検出手段が記録指示を検出した場合、記録に係るタイトルを変更するタイトル変更手段と
を備え、
前記記録手段は、前記タイトル変更手段が変更したタイトルで前記記録指示に基づき記録を行う手段を備えることを特徴とする番組記録装置。
【請求項６】
放送される番組の記録指示を受け付ける指示受付手段と、コード信号に係る番組の記録予約を受け付ける予約受付手段と、前記指示受付手段が受け付けた記録指示又は前記予約受付手段が受け付けた記録予約に基づき記録媒体に番組を記録する記録手段とを備える番組記録装置において、
前記コード信号に係る番組の記録中又は記録の一時停止中に、前記指示受付手段が受け付けた記録指示が有るか否かを検出する検出手段と、
該検出手段が記録指示を検出した場合、該記録指示に基づき前記記録手段が記録した記録媒体の位置を記憶する位置記憶手段と、
該位置記憶手段が記憶する位置に記録された番組の画像信号の出力指示を受け付ける出力受付手段と、
該出力受付手段が前記出力指示を受け付けた場合、前記画像信号を出力する画像出力手段と
を備えることを特徴とする番組記録装置。
【請求項７】
放送される番組の記録予約を受け付ける受付手段と、該受付手段が受け付けた記録予約の番組毎に番号を設定する番号設定手段と、前記受付手段が記録予約を受け付けた番組をタイトル毎に記録する記録手段とを備える番組記録装置において、
番組の記録中に記録対象の番組に係る番号が変化したか否か、又は記録の一時停止中に記録対象の番組に係る番号が記録の一時停止前の記録対象の番組に係る番号に対して変化したか否かを検出する番号検出手段と、
該番号検出手段が番号の変化を検出した場合、記録に係るタイトルを変更するタイトル変更手段と
を備え、
前記記録手段は、前記タイトル変更手段が変更したタイトルで変化した番号に係る番組の記録を行う手段を備えることを特徴とする番組記録装置。
【請求項８】
放送される番組の記録予約を受け付ける受付手段と、該受付手段が受け付けた記録予約の番組毎に番号を設定する番号設定手段と、前記受付手段が記録予約を受け付けた番組を記録媒体に記録する記録手段とを備える番組記録装置において、
番組の記録中に記録対象の番組に係る番号が変化したか否か、又は記録の一時停止中に記録対象の番組に係る番号が記録の一時停止前の記録対象の番組に係る番号に対して変化したか否かを検出する番号検出手段と、
該番号検出手段が番号の変化を検出した場合、番号の変化後に前記記録手段が記録した記録媒体の位置を記憶する位置記憶手段と、
該位置記憶手段が記憶する位置に記録された番組の画像信号の出力指示を受け付ける出力受付手段と、
該出力受付手段が前記出力指示を受け付けた場合、前記画像信号を出力する画像出力手段と
を備えることを特徴とする番組記録装置。
【発明の詳細な説明】
【技術分野】
【０００１】
本発明は、番組の記録中又は記録の一時停止中に記録対象が変化した場合、相異するタイトルとして記録すること、又は記録媒体における記録位置を記憶することにより、記録した各番組を容易に検索できるようにした番組記録装置に関する。
【背景技術】
【０００２】
従来、放送局から時刻情報信号を付して番組を放送することが行われている。例えば、ドイツ、スイス及びオーストリアでは番組毎にＶＰＳ（Video Program System）信号が付されており、上述した国以外の欧州各国ではＰＤＣ（Program Delivery Control）信号が番組毎に付されている。このような信号を番組に付すことで、番組記録装置のタイマー予約が簡易化され、さらにはタイマー予約された番組の放送開始時刻が変更になった場合、タイマー予約の記録（録画）の開示時刻を実際の放送開始時刻に合わせて変更し、予約された番組を確実に録画することを可能にしている。
【０００３】
ＶＰＳ／ＰＤＣ信号は送信周波数が夫々異なるのみで内容はほぼ同等であるため、以下ＶＰＳ信号を例にして説明する。ＶＰＳ信号は番組における画像信号の第１６番目の水平期間に重畳されており、番組の開始を示す開始コード、インタラプトコード等の各種コード信号を有する。開始コードは「月日、放送チャンネル、放送開始時刻」等を示すデータを備え、また、インタラプトコードは事故及び災害等が発生したときに放送される緊急番組のＶＰＳ信号に含まれることが多く、録画を一時停止（ポーズ）させる指示データを備える。
【０００４】
ＶＰＳ対応の番組記録装置でＶＰＳ信号に基づきタイマー予約を行うと、番組記録装置は受信した番組データの中からＶＰＳ信号を取り出し、予約に係る録画開始時刻とＶＰＳ信号の開始コードに含まれる放送開始時刻とが一致するまで待機状態を維持し、一致したときに録画を開始する。これにより番組の放送開始時刻が、例えばスポーツ中継の延長等により変更しても予約された番組を録画できる。また、番組記録装置がＶＰＳ信号に基づきタイマー予約された番組を録画している最中に緊急番組が放送されると、緊急番組のＶＰＳ信号に含まれるインタラプトコードにより録画を一時停止する処理を行う。なお、ＶＰＳ対応の番組記録装置はＶＰＳ信号の取り出し部を備える（特許文献１参照）。
【０００５】
また、ＶＰＳ／ＰＤＣ対応の番組記録装置は、ＶＰＳ／ＰＤＣ信号に係る予約機能を解除することで通常のタイマー予約も行える。さらに、ＶＰＳ／ＰＤＣ対応とは別に、番組記録装置は録画開始から録画終了（ストップ：停止）までを１タイトルとして録画する（図９参照）。よって、図９に示す場合では、各番組Ａ〜Ｃは番組記録装置が有する記録媒体に夫々別タイトルで録画された状態になっている。
【０００６】
さらに、また、番組記録装置は図１０に示すように、自身に接続されたモニタ装置の画面Ｇに録画した各番組に係る画像を一度に複数表示することも可能にしている。このような表示はサムネイルと称され、番組記録装置が録画した各タイトルにおける番組の一場面に係る画像１〜９を記録媒体から抽出し、各画像１〜９に「月日、放送チャンネル、放送開始時刻」と云う録画に係る内容１ａ〜９ａを付してサムネイルのデータを作成し、モニタ装置へ出力することによりサムネイル表示を実現している。サムネイルで表示すると、ユーザは番組記録装置に録画された番組の中身を一目で判断でき、再生したい番組を容易に検索できるようになる。
【特許文献１】特開平８−３３５３４２号公報
【発明の開示】
【発明が解決しようとする課題】
【０００７】
図１１に示すように、番組記録装置がＶＰＳ／ＰＤＣ信号の開始コードに基づきタイマー予約された番組Ａの録画を行っていた状態で、緊急番組の放送によりインタラプトコードを受け付けることで録画を一時停止した場合、緊急番組の放送状況によっては番組Ａの放送が継続されずに次の番組Ｂが放送されることもある。このような状況では次の番組Ｂの開始コードがいきなり送信され、番組Ａと同一チャンネルである次の番組ＢもＶＰＳ／ＰＤＣ信号に基づきタイマー予約がされていると、番組記録装置は番組Ｂの開始コードにより一時停止を解除し連続的に録画処理を行い、番組Ｂを番組Ａと同一のタイトルで録画してしまう。
【０００８】
その結果、録画した各番組を図１０のようにサムネイルで表示した場合、サムネイルはタイトル単位で各画像を表示するため、一時停止後に放送された番組Ｂの画像は表示されなくなり、一時停止後に録画された番組検索が困難になると云う問題がある。なお、このような問題は、録画が一時停止された場合だけでなく、同一チャンネルで放送時間が前後に連続した番組をＶＰＳ／ＰＤＣ信号に基づきタイマー予約を行っている状況で、放送の都合により前の番組と次の番組とが途切れることなく放送される場合でも生じる。
【０００９】
さらに、上述した問題は、ＶＰＳ／ＰＤＣ信号に基づきタイマー予約を行うと共に同一チャンネルでＶＰＳ／ＰＤＣ信号に関係しない通常のタイマー予約を行った状況でも起こり得る。例えば、ＶＰＳ／ＰＤＣ信号によるタイマー予約の番組録画が一時停止された状態で、通常のタイマー予約に係る開始時刻が到来すると、一時停止が解除され通常のタイマー予約の番組が同一のタイトルで録画されるため上記問題が生じる。また、ＶＰＳ／ＰＤＣ信号に係る番組の放送時間が変更されて通常のタイマー予約に係る番組が連続して放送されるような場合にも上記問題は生じる。
【００１０】
さらに、また、ＶＰＳ／ＰＤＣ信号とは関係しない通常のタイマー予約を同一のチャンネルで連続して行ったときに放送時間の変更等で前後の番組が同一のタイトルで録画される場合も生じ、さらには通常のタイマー予約に対する番組の録画を緊急番組の放送によりユーザが一時停止してから解除することで別の番組が連続して録画される場合も想定できる。このような場合でも、後に録画された番組の画像はサムネイルの中に表示されないため、ユーザの検索が困難になると云う上述の問題が生じる。
【００１１】
本発明は、斯かる問題に鑑みてなされたものであり、上述したような様々な場合に対し録画の処理を一旦停止（ストップ）すること、録画に係るタイトルを強制的に変更すること、又は記録媒体における録画位置を記憶すると云ういずれかの処理を行うことにより、録画した各番組の検索を容易に行えるようにした番組記録装置を提供することを目的とする。
【課題を解決するための手段】
【００１２】
上記課題を解決するために本発明の番組記録装置は、放送番組固有のコード信号を受信するコード受信手段と、該コード信号に係る番組の記録予約を受け付ける予約受付手段と、前記予約受付手段が受け付けた記録予約の番組をタイトル毎に記録する記録手段とを備える番組記録装置において、前記コード信号に係る番組の記録中に前記コード受信手段が受信するコード信号に変化があるか否か、又は記録の一時停止中に前記コード受信手段が受信するコード信号が記録の一時停止前に受信したコード信号に対し変化があるか否かを検出する変化検出手段と、該変化検出手段がコード信号に変化があることを検出した場合、記録に係るタイトルを変更するタイトル変更手段とを備え、前記記録手段は、前記タイトル変更手段が変更したタイトルで記録を行う手段を備えることを特徴とする。
【００１３】
本発明にあっては、ＶＰＳ／ＰＤＣ信号のような時刻情報信号が有する番組固有のコード信号に係る番組の記録中又は記録の一時停止中に、受信するコード信号に変化があった場合、録画に係るタイトルを変更し、その変更したタイトルで以降の録画を行うため、コード信号の変化の前後で録画されるタイトルが相異することになる。その結果、サムネイル表示でもコード信号の変化後に記録される番組が別タイトルとして画像が表示されることになり、各番組の検索が容易になる。なお、番組固有のコード信号とは、ＶＰＳ／ＰＤＣ信号に係るコードに限定されるものではなく、将来的に各国で放送される番組に付加されて、番組記録装置が番組の予約に利用可能な番組を識別するための各種信号を含むものとする（以下、同様）。
【００１４】
また、本発明の番組記録装置は、放送番組固有のコード信号を受信するコード受信手段と、該コード信号に係る番組の記録予約を受け付ける予約受付手段と、該記予約受付手段が受け付けた記録予約の番組を記録開始から記録停止までを１タイトルとして記録する記録手段とを備える番組記録装置において、前記コード信号に係る番組の記録中に前記コード受信手段が受信するコード信号に変化があるか否か、又は記録の一時停止中に前記コード受信手段が受信するコード信号が記録の一時停止前に受信したコード信号に対し変化があるか否かを検出する変化検出手段と、該変化検出手段がコード信号に変化があることを検出した場合、記録した番組の保存処理のため記録停止を行う記録停止手段と、該変化検出手段がコード信号に変化があることを検出した場合、記録に係るタイトルを変更するタイトル変更手段とを備え、前記記録手段は、前記記録停止手段による記録停止後、前記タイトル変更手段が変更したタイトルで記録を行う手段を備えることを特徴とする。
【００１５】
本発明にあっては、ＶＰＳ／ＰＤＣ信号のような時刻情報信号が有する番組固有のコード信号に変化があった場合、一旦、録画（記録）を停止すると共に記録に係るタイトルを変更してから、録画を再開するため、コード信号の変化の前後で記録停止の処理が介在することになり再開された録画の番組は別タイトルとして録画される。その結果、サムネイル表示でも再開後の番組に係る画像が表示されることになり、再開後の番組の検索が容易になる。
【００１６】
さらに、本発明の番組記録装置は、放送番組固有のコード信号を受信するコード受信手段と、該コード信号に係る番組の記録予約を受け付ける予約受付手段と、該予約受付手段が受け付けた記録予約の番組を記録媒体に記録する記録手段とを備える番組記録装置において、前記コード信号に係る番組の記録中に前記コード受信手段が受信するコード信号に変化があるか否か、又は記録の一時停止中に前記コード受信手段が受信するコード信号が記録の一時停止前に受信したコード信号に対し変化があるか否かを検出する変化検出手段と、該変化検出手段がコード信号に変化があることを検出した場合、コード信号の変化後に前記記録手段が記録した記録媒体の位置を記憶する位置記憶手段と、該位置記憶手段が記憶する位置に記録された番組の画像信号の出力指示を受け付ける出力受付手段と、該出力受付手段が前記出力指示を受け付けた場合、前記画像信号を出力する画像出力手段とを備えることを特徴とする。
【００１７】
本発明にあっては、ＶＰＳ／ＰＤＣ信号のような時刻情報信号が有する番組固有のコード信号に変化があった場合、コード信号の変化後に録画された記録媒体の録画位置を記憶し、その位置に録画された画像信号の出力指示を受け付けると、該画像信号を出力するため、変化後に録画された番組の画像を確実に表示できるようになる。その結果、サムネイル表示を行う場合でも、同一のタイトルに対し通常表示される画像に加えて録画位置が記憶された画像も表示されるため、コード信号の変化後に録画された番組も容易に検索できるようになる。
【００１８】
本発明の番組記録装置は、放送される番組の記録指示を受け付ける指示受付手段と、コード信号に係る番組の記録予約を受け付ける予約受付手段と、前記指示受付手段が受け付けた記録指示又は前記予約受付手段が受け付けた記録予約に基づき記録開始から記録停止までを１タイトルとして番組を記録する記録手段とを備える番組記録装置において、前記コード信号に係る番組の記録中又は記録の一時停止中に、前記指示受付手段が受け付けた記録指示を有るか否かを検出する検出手段と、該検出手段が記録指示を検出した場合、記録を停止する記録停止手段とを備え、前記記録手段は、前記記録停止手段が記録を停止した後、前記記録指示に基づき記録を再開する手段を備えることを特徴とする。
【００１９】
本発明にあっては、ＶＰＳ／ＰＤＣ信号のような時刻情報信号が有する番組固有のコード信号に係る番組の録画中又は録画の一時停止中に、コード信号に関係しない記録指示を受け付けた場合、一旦、録画を停止してから録画を再開するため、録画停止の処理が介在し、録画再開後の番組は別タイトルになる。その結果、サムネイル表示でも再開後の番組の画像が表示され、再開後の番組を容易に検索できるようになる。なお、番組の記録指示（録画指示）とは、通常のタイマー予約において予約した時刻が到来することによる記録指示、及びユーザの録画操作による記録指示を意味する（以下、同様）。
【００２０】
また、本発明の番組記録装置は、放送される番組の記録指示を受け付ける指示受付手段と、放送番組固有のコード信号を受信するコード受信手段と、該コード信号に係る番組の記録予約を受け付ける予約受付手段と、前記指示受付手段が受け付けた記録指示又は前記予約受付手段が受け付けた記録予約に基づきタイトル毎に番組を記録する記録手段とを備える番組記録装置において、前記コード信号に係る番組の記録中又は記録の一時停止中に、前記指示受付手段が受け付けた記録指示が有るか否かを検出する検出手段と、該検出手段が記録指示を検出した場合、記録に係るタイトルを変更するタイトル変更手段とを備え、前記記録手段は、前記タイトル変更手段が変更したタイトルで前記記録指示に基づき記録を行う手段を備えることを特徴とする。
【００２１】
本発明にあっては、ＶＰＳ／ＰＤＣ信号のような時刻情報信号が有する番組固有のコード信号に係る番組の録画中又は録画の一時停止中に、コード信号に関係しない記録指示を受け付けた場合、録画に係るタイトルを変更して、その変更したタイトルで以降録画を行うため、記録指示に係る番組の録画は別タイトルになる。その結果、サムネイルが表示された場合、記録指示に係る番組の画像も表示されるため、記録指示に係る番組の検索が容易になる。
【００２２】
さらに、本発明の番組記録装置は、放送される番組の記録指示を受け付ける指示受付手段と、コード信号に係る番組の記録予約を受け付ける予約受付手段と、前記指示受付手段が受け付けた記録指示又は前記予約受付手段が受け付けた記録予約に基づき記録媒体に番組を記録する記録手段とを備える番組記録装置において、前記コード信号に係る番組の記録中又は記録の一時停止中に、前記指示受付手段が受け付けた記録指示が有るか否かを検出する検出手段と、該検出手段が記録指示を検出した場合、該記録指示に基づき前記記録手段が記録した記録媒体の位置を記憶する位置記憶手段と、該位置記憶手段が記憶する位置に記録された番組の画像信号の出力指示を受け付ける出力受付手段と、該出力受付手段が前記出力指示を受け付けた場合、前記画像信号を出力する画像出力手段とを備えることを特徴とする。
【００２３】
本発明にあっては、ＶＰＳ／ＰＤＣ信号のような時刻情報信号が有する番組固有のコード信号に係る番組の録画中又は録画の一時停止中に、コード信号に関係しない記録指示を受け付けた場合、記録指示に基づき録画された記録媒体の位置を記憶し、その位置に録画された画像信号の出力指示を受け付けに応じて該画像信号を出力するため、記録指示に係る番組の画像を確実に表示できるようになる。即ち、サムネイル表示を行う場合でも、同一のタイトルに関しては先頭の画像に加えて録画位置が記憶された画像も同時に表示されるため、記録指示に係る番組も容易に検索できるようになる。
【００２４】
また、本発明の番組記録装置は、放送される番組の記録予約を受け付ける受付手段と、該受付手段が受け付けた記録予約の番組毎に番号を設定する番号設定手段と、前記受付手段が記録予約を受け付けた番組をタイトル毎に記録する記録手段とを備える番組記録装置において、番組の記録中に記録対象の番組に係る番号が変化したか否か、又は記録の一時停止中に記録対象の番組に係る番号が記録の一時停止前の記録対象の番組に係る番号に対して変化したか否かを検出する番号検出手段と、該番号検出手段が番号の変化を検出した場合、記録に係るタイトルを変更するタイトル変更手段とを備え、前記記録手段は、前記タイトル変更手段が変更したタイトルで変化した番号に係る番組の記録を行う手段を備えることを特徴とする。
【００２５】
本発明にあっては、番組の録画中又は録画の一時停止中に、録画対象の番組に係る番号が変化した場合、録画に係るタイトルを変更して、その変更したタイトルで以降録画を行うため、番号が変化した番組の録画は別タイトルになる。その結果、サムネイルが表示された場合、番号が変化した番組の画像も表示されるため、記録指示に係る番組の検索が容易になる。なお、番組記録装置では予約された番組毎に予約に係る番号が設定されるが、録画対象の番組に係る番号が変化するとは、録画の予約された番組に係る番号が変化する場合に加えて、ユーザの録画操作を受け付けて番号が付されていない録画を行う場合も含むものとする（以下、同様）。
【００２６】
さらに、本発明の番組記録装置は、放送される番組の記録予約を受け付ける受付手段と、該受付手段が受け付けた記録予約の番組毎に番号を設定する番号設定手段と、前記受付手段が記録予約を受け付けた番組を記録媒体に記録する記録手段とを備える番組記録装置において、番組の記録中に記録対象の番組に係る番号が変化したか否か、又は記録の一時停止中に記録対象の番組に係る番号が記録の一時停止前の記録対象の番組に係る番号に対して変化したか否かを検出する番号検出手段と、該番号検出手段が番号の変化を検出した場合、番号の変化後に前記記録手段が記録した記録媒体の位置を記憶する位置記憶手段と、該位置記憶手段が記憶する位置に記録された番組の画像信号の出力指示を受け付ける出力受付手段と、該出力受付手段が前記出力指示を受け付けた場合、前記画像信号を出力する画像出力手段とを備えることを特徴とする。
【００２７】
本発明にあっては、番組の録画中又は録画の一時停止中に、録画対象の番組に係る番号が変化した場合、番号の変化後に録画された記録媒体の録画位置を記憶し、その位置に録画された画像信号の出力指示を受け付けに応じて該画像信号を出力するため、番号変化後に録画された番組の画像を確実に表示できるようになる。例えば、サムネイル表示を行う場合でも、同一のタイトルに関しては先頭の画像に加えて録画位置が記憶された画像も同時に表示されるため、番号変化後の番組も容易に検索できるようになる。
【発明の効果】
【００２８】
本発明にあっては、放送番組固有のコード信号に変化があった場合、録画を停止又は録画に係るタイトルを変更するため、コード信号の変化後に録画される番組は別タイトルになり、サムネイルで前記番組の画像も表示可能にして番組検索の容易化を図れる。
また、本発明にあっては、放送番組固有のコード信号に変化があった場合、コード信号の変化後に録画された記録媒体の位置を記憶し、その位置に録画された画像信号の出力指示を受け付けに応じて該画像信号を出力するため、コード信号の変化後に録画された番組の画像もサムネイルで表示でき、録画された番組を容易に検索できる。
【００２９】
本発明にあっては、放送番組固有のコード信号に係る番組の記録中又は記録の一時停止中に、コード信号に関係しない記録指示を受け付けた場合、録画を停止又は録画に係るタイトルを変更するため、記録指示の受け付け後に録画される番組は別タイトルになり、サムネイルで前記番組の画像も表示できるようになり番組を容易に検索できる。
また、本発明にあっては、放送番組固有のコード信号に係る番組の記録中又は記録の一時停止中に、コード信号に関係しない記録指示を受け付けた場合、記録指示の受け付け後に録画された記録媒体の位置を記憶し、その位置に録画された画像信号を出力できるため、記録指示の受け付け後に録画された番組の画像もサムネイルで表示でき、番組検索を容易にできる。
【００３０】
本発明にあっては、番組の記録中又は記録の一時停止中に、録画対象の番組に係る番号が変化した場合、録画に係るタイトルを変更するため、番号変化後に録画された番組は別タイトルになり、前記番組の画像をサムネイルで表示できるようになり、容易に番組を検索することが可能になる。
また、本発明にあっては、番組の記録中又は記録の一時停止中に、録画対象の番組に係る番号が変化した場合、番号の変化後に録画された記録媒体の位置を記憶し、その位置に録画された画像信号を出力できるため、番号変化後に録画された番組の画像もサムネイルで表示でき容易に番組を検索できる。
【発明を実施するための最良の形態】
【００３１】
図１は、本発明の第１実施形態に係る番組記録装置１に係る構成を示すブロック図である。番組記録装置１にはアンテナ２１が接続してあり、放送局２５より放送される番組に係る信号をアンテナ２１で受信するようにしている。なお、本実施形態では、放送局２５は番組にＶＰＳ信号を付して放送を行っているものとし、ＶＰＳ信号には番組の開始を示す番組固有の開始コード（コード信号に相当）及びインタラプトコード等の各種コードが含まれている。放送局２５は番組の放送中には、その番組に係るＶＰＳ信号を１秒未満毎に送信している。また、番組記録装置１はモニタ装置２０を接続線１６で接続しており、受信した番組又は録画した番組を再生してモニタ装置２０の画面２０ａに表示できるようにしている。
【００３２】
番組記録装置１は、外部から信号を受け入れる部分として外部入力部２及びアンテナ２１と接続されたチューナ部３を有している。外部入力部２は、映像信号を出力できる再生装置等の別の装置を接続して、外部から信号を受け入れるようにしている。チューナ部３はアンテナ２１が受け付ける電波（信号）の中から所要の周波数のものを抽出し外部から信号を受信するようにしており、本実施形態では、放送局２５がＶＰＳ信号を付して番組を放送するため、コード信号を含むＶＰＳ信号の各種コードを受信するコード受信手段として機能している。また、外部入力部２及びチューナ部３には、入力の切替が可能な入力選択部４が接続されている。
【００３３】
入力選択部４は、取り込んだ信号を記録・再生部６へ伝送しており、また、入力選択部４と記録・再生部６との間にはＶＰＳ／ＰＤＣ信号検出部５が介在している。ＶＰＳ／ＰＤＣ信号検出部５は、外部入力部２又はチューナ部３による番組に係る信号が入力選択部４から記録・再生部６へ伝送されるときに、番組に係る信号の中からＶＰＳ信号を抽出し、抽出したＶＰＳ信号に含まれる各種コードの内容をシステムコントロール部１０へ伝送する処理を行うものである。
【００３４】
記録・再生部６は記録手段として入力選択部４から伝送されてきた番組に係る信号を記録媒体であるハードディスク部７に録画（記録）するものであり、記録・再生部６は録画の開始から終了（ストップ：停止）までを１タイトルとしてハードディスク部７に録画する。また、記録・再生部６は再生を行うときは、録画された各番組の信号をハードディスク部７から読み出して再生処理部８へ伝送する処理を行う。また、再生処理部８は再生に係る所要の処理を行うものであり、処理を行った信号を出力部９へ伝送し、出力部９は伝送されてきた信号を外部へ出力する処理を行う。本実施形態では出力部９からの信号は、接続線１６を通じてモニタ装置２０へ伝送されるため、番組記録装置１で再生された信号がモニタ装置２０の画面２０ａに表示される。
【００３５】
なお、図１０に示すようなサムネイルで表示を行う場合は、記録・再生部６がハードディスク部７から各タイトルにおける一つの画像を読み出すと共に各画像に付す録画月日、チャンネル等を読み出してサムネイルのデータを作成し、この作成したデータを出力部９からモニタ装置２０へ出力する。なお、タイトルから抽出する画像はユーザの選択により適宜変更可能である。また、サムネイル表示を迅速に行う場合は、ハードディスク部７に録画された内容に基づき予めサムネイルのデータを作成してハードディスク部７又はメモリ部１３等に記憶しておき、サムネイル表示を行うときに記憶していたサムネイルのデータを出力する処理手順を適用する。
【００３６】
一方、システムコントロール部１０は上述した各部３、４、６、８等の制御を行うものであり、詳細は後述する。また、システムコントロール部１０にはリモコン受信部１１、操作部１２及びメモリ部１３が夫々接続されている。
【００３７】
リモコン受信部１１は、携帯型のリモコン装置１５から送信されてくる指示信号を受信してシステムコントロール部１０へ伝送するものである。リモコン装置１５には複数のボタンが設けてあり、ユーザが各ボタンを操作することにより、サムネイル表示、再生番組選択、再生、早送り、再生停止、一時停止、ＶＰＳ／ＰＤＣに係るタイマー予約、通常タイマー予約、録画、録画停止（録画ストップ）、録画の一時停止（録画ポーズ）、チャンネル設定及び入力切替等に係る各種指示をシステムコントロール部１０へリモコン受信部１１を介して与えられるようにしている。
【００３８】
また、操作部１２は、再生ボタン、早送りボタン、録画／再生一時停止ボタン、タイマー予約ボタン、時間設定ボタン、チャンネル設定ボタン及びＶＰＳ／ＰＤＣ解除ボタン等の各種ボタンを設けており、各ボタンをユーザが操作することによりリモコン装置１５と同様な内容の指示をシステムコントロール部１０へ付与できる。さらに、メモリ部１３は、システムコントロール部１０が行う後述する処理内容を規定したプログラムを記憶していると共に、システムコントロール部１０が行う処理に伴うデータ、テーブル等を適宜記憶する。
【００３９】
システムコントロール部１０は、リモコン装置１５又は操作部１２からの指示に基づき各種処理を行っており、リモコン装置１５又は操作部１２からの指示がタイマー予約に係るものであれば、システムコントロール部１０は予約受付手段として機能する。システムコントロール部１０は、ＶＰＳ／ＰＤＣ信号に基づく番組のタイマー録画予約及びＶＰＳ／ＰＤＣ信号に関係しない通常のタイマー録画予約の両方を行うことが可能であり、リモコン装置１５又は操作部１２からの指示に基づきＶＰＳ／ＰＤＣ信号を利用（オン）したタイマー予約又はＶＰＳ／ＰＤＣ信号の機能を解除（オフ）した通常のタイマー予約を行う。
【００４０】
さらに、システムコントロール部１０は上述したタイマー予約を行うと、番号設定手段として予約された番組毎に予約番号を設定して図２に示すような予約管理テーブル３０を作成しメモリ部１３に記憶する。予約管理テーブル３０は、予約番号毎に録画を行う日時、開始時刻、終了時刻、チャンネル及びＶＰＳ／ＰＤＣを利用（オン）するか否か（オフ）を示しており、システムコントロール部１０は、自身に内蔵する時計機能及びＶＰＳ／ＰＤＣ信号検出部５からのコード信号と予約管理テーブル３０の内容とを対照させて録画に係る処理制御を行う。
【００４１】
また、システムコントロール部１０はチューナ部３に対し、リモコン装置１５又は操作部１２で操作設定されたチャンネル、予約内容のチャンネル、若しくはＶＰＳ／ＰＤＣ信号検出部５からの開始コードが指定するチャンネルに一致するようにチューナ部３が受信する周波数を変更する制御を行う。さらに、システムコントロール部１０は入力切替部４に対しリモコン装置１５又は操作部１２からの入力切替の指示に基づき切替制御を行う。
【００４２】
さらに、また、システムコントロール部１０は記録・再生部６に対し、録画開始、録画終了、録画一時停止、再生対象の選択、再生開始、再生終了及び再生一時停止等の処理をリモコン装置１５又は操作部１２から操作指示、予約内容、若しくはＶＰＳ／ＰＤＣ信号検出部５からの各種コードに基づき制御している。即ち、リモコン装置１５又は操作部１２で録画・再生に係るボタンが操作されると、システムコントロール部１０は、その操作に基づき記録・再生部６の録画・再生に係る処理を直接的に行う。また、通常のタイマー予約が行われている場合、システムコントロール部１０は予約管理テーブル３０の開始時刻と内蔵する時計機能で計測される時間との比較に基づき、記録・再生部６の録画に係る処理を制御している。
【００４３】
さらに、ＶＰＳ／ＰＤＣ信号に基づいたタイマー予約が行われている場合、システムコントロール部１０は、ＶＰＳ／ＰＤＣ信号検出部５から随時送られてくるコードに基づき、記録・再生部６の録画に係る処理を制御している。具体的には、ＶＰＳ／ＰＤＣ信号検出部５からＶＰＳ信号に含まれる番組固有の開始コードが伝送されてくると、システムコントロール部１０は、記録・再生部６の録画を開始させる。また、ＶＰＳ／ＰＤＣ信号検出部５からＶＰＳ信号に含まれるインタラプトコードが伝送されてくると、記録・再生部６の録画を一時停止させる。さらに、システムコントロール部１０は、ＶＰＳ／ＰＤＣ信号検出部５から異なる番組の開始コードが伝送されてくると、記録・再生部６の録画を停止（終了）させる。なお、システムコントロール部１０は、再生処理部８に対しても再生に係る所要の制御を行う。
【００４４】
また、本実施形態のシステムコントロール部１０は、ＶＰＳ／ＰＤＣ信号検出部５から伝送されてくる開始コードに基づき記録・再生部６で録画を行っている場合、又は、インタラプトコードに基づき記録・再生部６での録画を一時停止している場合、ＶＰＳ／ＰＤＣ信号検出部５から伝送されてくる開始コードの中身が変化したか否かを検出する変化検出手段として機能している。例えば、システムコントロール部１０が「５月１０日、４チャンネル、開始時刻１５：００」と云う中身の開始コードを受け付けて、この開始コードに基づき記録・再生部６で録画を行っている最中に、「５月１０日、４チャンネル、開始時刻１７：００」と云う開始コードを受け付けた場合、開始時刻が変化したことを検出する。なお、インタラプトコードにより録画を一時停止している場合も、システムコントロール部１０は、一時停止の前後で開始コードに変化があるか否かを検出している。
【００４５】
さらに、システムコントロール部１０は記録停止手段として、開始コードに変化があることを検出した場合、記録・再生部６の録画を停止する制御を行う。なお、開始コードに変化が無い場合、システムコントロール部１０は記録・再生部６に対して行っていた処理を継続する。さらに、また、システムコントロール部１０は、録画を停止させた場合、直ぐに記録・再生部６の録画を再開させる指示を記録・再生部へ出力する制御を行う。この指示により記録・再生部６は停止後に録画を再開することになる。このように録画停止を介在させることで、開始コードの変化の前後で録画される番組は別タイトルになる。なお、システムコントロール部１０が録画を停止する時間は数ミリ秒単位であるため、録画が途切れることに対して実質的な影響は生じない。
【００４６】
次に、上述した番組記録装置１において、ＶＰＳ信号に係るタイマー予約に対する処理の内容を図３の第１フローチャートに基づき説明する。
先ず、番組記録装置１が番組のＶＰＳ信号を受け付けて（Ｓ１）、現在の装置状態が録画中又は録画一時停止中であると（Ｓ２：ＹＥＳ）、番組記録装置１は受け付けたＶＰＳ信号に含まれる開始コードに変化があるか否かを検出する（Ｓ３）。なお、現在の装置状態が録画中又は録画の一時停止中であるときは、開始コードの変化検出の段階（Ｓ３）で、既にＶＰＳ信号に含まれる開始コードを受け付けていたものとする。また、この開始コードの変化検出において、録画中である場合は、受け付けていた開始コードに対して現在の開始コードに変化があるか否かを検出するものとし、録画一時停止中である場合は、一時停止の前後で開始コードに変化があるか否かを検出するものとする。さらに、変化検出の対象となる開始コードは、タイマー予約された番組に係る開始コードと一致するものにしている。
【００４７】
番組記録装置１が開始コードの変化を検出した場合（Ｓ３：ＹＥＳ）、番組記録装置１は録画を一旦停止し（Ｓ５）。その後、変化した開始コードに基づき録画を行う（Ｓ６）。この録画停止の処理（Ｓ５）を行うことで、録画停止後に録画する番組のタイトルは変化することになる。一方、番組記録装置１が開始コードの変化を検出しなかった場合（Ｓ３：ＮＯ）、次にＶＰＳ信号にインタラプトコードが含まれるか否かを検出し（Ｓ４）、インタラプトコードを検出しない場合（Ｓ４：ＮＯ）、録画を行い（Ｓ６）、インタラプトコードを検出した場合（Ｓ４：ＹＥＳ）、録画を一時停止する（Ｓ７）。なお、現在の装置状態が録画中又は録画一時停止中でない場合（Ｓ２：ＮＯ）、現在の装置状態（録画待機状態）を継続する。
【００４８】
よって、本実施形態に係る番組記録装置１では、録画した各番組が図１１に示すような状態で記録媒体に記録されず、必ず図９に示すような状態で番組毎に別々のタイトルで記録された状態になる。例えば、図４（ａ）に示すように、最初の放送予定において１５：００から１６：５０まで番組Ａが放送され、１７：００から１８：００まで番組Ｂが放送される状況に対して番組Ａ及び番組ＢをＶＰＳ／ＰＤＣ信号に基づきタイマー予約を行った場合で、図４（ｂ）に示すように１６：１５から１７：１０に緊急番組が放送され、番組Ｂの放送が始まったときに対しても、番組Ａと番組Ｂとを別々のタイトルで録画できる。
【００４９】
その結果、図１０に示すようなサムネイル表示を行っても、録画した番組に係る各画像を確実に表示できるため、ユーザは録画した番組を容易に検索できる。なお、録画内容の検索をサムネイル表示で行わずに録画したタイトルに係る録画の日時、チャンネル及び録画開始時刻等のデータを羅列して文字表示する場合でも、録画した各番組に係るデータを確実にタイトル毎に表示できるため、本実施形態に係る番組記録装置１を用いることで番組検索の容易化を達成できる。
【００５０】
なお、番組記録装置１は上述した形態に限定されるものではなく、例えば、記録媒体にはハードディスクに以外にも、ＣＤ−Ｒ、ＣＤ−ＲＷ、ＤＶＤ−Ｒ、ＤＶＤ−ＲＷ及びＤＶＤ−ＲＡＭのような各種光ディスク、又はビデオテープを適用するようにしてもよい。
【００５１】
また、番組記録装置１には、下記のような変形例を適用することも可能である。即ち、番組記録装置１のシステムコントロール部１０が開始コードの変化を検出する以外に、ＶＰＳ／ＰＤＣ信号に係る番組の録画中又は録画の一時停止中に、リモコン装置１５又は操作部１２により受け付けた録画（記録）の指示が有るか、若しくは通常のタイマー予約として受け付けた録画（記録）の指示が有るかを検出し、録画指示の有ることを検出した場合に録画を停止するようにしてもよい。
【００５２】
図５は、上述した変形例に係る番組記録装置１の処理手順を示す第２フローチャートである。即ち、番組記録装置１は、ＶＰＳ／ＰＤＣ信号に基づきタイマー予約が行われた番組の録画を開始し（Ｓ１５）、その状態で番組記録装置１のシステムコントロール部１０は、リモコン装置１５又は操作部１２からの録画指示があるか、若しくは通常のタイマー予約として図２に示す予約管理テーブル３０に、その時刻における録画指示があるか否かを検出手段として検出する（Ｓ１６）。録画指示を検出した場合（Ｓ１６：ＹＥＳ）、システムコントロール部１０は録画を停止し（Ｓ１７）、その後、録画指示に基づき録画を再開する（Ｓ１８）。また、録画指示を検出しない場合（Ｓ１６：ＮＯ）、最初に開始した録画を継続する処理を行う（Ｓ１８）。
【００５３】
よって、例えば、図４（ｂ）に示すように緊急番組の放送により番組記録装置１がインタラプトコードにより録画を一時停止していたときに、ユーザが緊急番組も録画したいと考えて、リモコン装置１５又は操作部１２を操作して録画の一時停止を解除し、録画指示を与えた場合、番組Ａと緊急番組とは別々のタイトルで録画され、その後の検索時にも緊急番組を容易に検索できるようになる。
【００５４】
また１５：００から１６：５０までの番組ＡをＶＰＳ／ＰＤＣ信号に基づきタイマー予約を行うと共に、１７：００から１８：００までの番組Ｂを通常のタイマー予約を行っていた場合に、番組Ａの終了が１７：００に変更になったときも、システムコントロール部１０は予約管理テーブル３０から１７：００からの番組Ｂの録画指示を検出することにより、一旦、録画を停止するため、番組Ａと番組Ｂとは確実に別のタイトルで録画される。このような処理は、番組Ａの録画がインタラプトコードにより一時停止され、その状態で番組Ｂの録画開示時刻が到来したときにも行われる。なお、上述した変形例では、リモコン受信部１１又は操作部１２が録画指示を受け付ける指示受付手段として機能することになる。
【００５５】
図６に係る第３フローチャートは、本発明の第２実施形態に係る番組記録装置の録画に対する処理手順を示すものである。第２実施形態の番組記録装置は、ハード的には図１に示す第１実施形態の構成と同等であり、開始コードの変化を検出した場合に行う処理を第１実施形態と相異させている。なお、第２実施形態は、ハード的な構成が第１実施形態と同等であるため、以下、第１実施形態と同一の符号を用いて説明する。
【００５６】
第２実施形態の番組記録装置１が備えるシステムコントロール部１０は、ＶＰＳ／ＰＤＣ信号に係る番組の録画中又は録画の一時停止中に、受信した開始コードの中身が変化したことを検出した場合、録画に係るタイトルを変更するように記録・再生部６の録画処理を制御するタイトル変更手段として機能している。なお、開始コードの中身の変化の検出する処理は第１実施形態と同様であり、録画中は受け付けていた開始コードに対して現在の開始コードに変化があるか否かを検出し、録画一時停止中は一時停止の前後で開始コードに変化があるか否かを検出している。また、記録・再生部６は、システムコントロール部１０よりタイトルを変更する制御指示を受けると、タイトルを強制的に変更して、録画を行う仕様になっている。そのため、第２実施形態の番組記録装置１でも開始コードの中身が変化した場合、その後に録画される番組は別タイトルとしてハードディスク部７に記録されるため、各番組の画像をサムネイル表示して録画した番組を容易に検索できる。
【００５７】
なお、第２実施形態の番組記録装置１に係る処理手順は、図６の第３フローチャートに示すようになり、番組記録装置１がＶＰＳ信号を受け付けて（Ｓ２０）、現在の装置状態が録画中又は録画一時停止中であると（Ｓ２１：ＹＥＳ）、番組記録装置１は、受け付けたＶＰＳ信号に含まれる開始コードに変化があるか否かを検出する（Ｓ２２）。開始コードの変化を検出した場合（Ｓ２２：ＹＥＳ）、番組記録装置１は録画に係るタイトルを変更し（Ｓ２４）、その後、変更したタイトルで録画を行う（Ｓ２５）。一方、開始コードが変化しなかった場合（Ｓ２２：ＮＯ）、番組記録装置１はＶＰＳ信号にインタラプトコードが含まれるか否かを検出し（Ｓ２３）、インタラプトコードを検出しない場合（Ｓ２３：ＮＯ）、録画を行い（Ｓ２５）、インタラプトコードを検出した場合（Ｓ２３：ＹＥＳ）、録画を一時停止する（Ｓ２６）。なお、現在の装置状態が録画中又は録画一時停止中でない場合（Ｓ２１：ＮＯ）、現在の装置状態（録画待機状態）を継続し、また、変化検出の対象となる開始コードはタイマー予約された番組に係るものと同一にしている。
【００５８】
このように第２実施形態に係る番組記録装置１においても、第１実施形態と同様な変形例の適用が可能であり、ハードディスク以外の記録媒体を適用できると共に、開始コードの変化を検出する以外に、録画指示が有るか無いかを検出し、録画指示が有ることを検出した場合、録画に係るタイトルを変更するようにしてもよい。
【００５９】
さらに、第２実施形態では、ＶＰＳ／ＰＤＣ信号とは無関係に、システムコントロール部１０が番号検出手段として、番組の録画中に、その時刻においてタイマー予約が行われた番組の予約番号に変化が有るか無いか、又は録画の一時停止中に一時停止の前後で予約番号に変化が有るか無いかを検出し、予約番号に変化が有ったときに、録画に係るタイトルを変更するようにしてもよい。
【００６０】
即ち、番組記録装置１でタイマー予約が行われると、図２に示す予約番号が設定された予約管理テーブル３０が作成され、システムコントロール部１０は、自身の時計機能で計測する時刻と予約管理テーブル３０とを比較して、録画する対象の番組を予約番号に基づき決定している。そのため、もし、時間が連続するように複数の番組がタイマー予約されると、従来では一つのタイトルで録画されていたが、上述したように録画対象に係る番組の予約番号が変化するか否かを検出することで、各番組を確実に相異するタイトルで録画できるようになる。
【００６１】
なお、予約番号が変化すると云う場合には、予約番号に関係せず録画が行われる場合も含む。例えば、タイマー予約された番組の録画に連続して、リモコン装置１５又は操作部１２がユーザにより操作されて録画指示が出されたときも予約番号が変化した場合に含まれ、さらにはタイマー予約された番組の録画をユーザによる操作で一時停止され、同一チャンネルで放送される緊急番組に対しユーザの操作により録画指示が出されたときも予約番号が変化したものとする。また、この変形例のように、特にＶＰＳ／ＰＤＣ信号に係る処理が関係しないときは、図１に示す番組記録装置１からＶＰＳ／ＰＤＣ信号検出部５を省略した構成にすることも可能である。
【００６２】
図７に示す第４フローチャートは、本発明の第３実施形態に係る番組記録装置の録画に対する処理手順を示すものである。第３実施形態の番組記録装置も、ハード的には図１に示す第１実施形態の構成と同等であり、録画に係る処理を第１実施形態と相異させている。なお、第３実施形態は、ハード的な構成が第１実施形態と同等であるため、以下、第１実施形態と同一の符号を用いて説明する。
【００６３】
第３実施形態の番組記録装置１が備えるシステムコントロール部１０は番号検出手段として、第２実施形態の一変形例の場合と同様に、番組の録画中にタイマー予約が行われた番組の予約番号に変化が有るか無いか、又は録画の一時停止中に一時停止の前後で予約番号に変化が有るか無いかを検出する。また、メモリ部１３は、予約番号の変化が検出された場合、変化検出後に記録・再生部６がハードディスク部７に記録した位置をシステムコントロール部１０の制御に基づき記憶する位置記憶手段として機能する。なお、メモリ部１３が記憶する位置は、図１１で具体的に説明すると、番組Ａと同一のタイトルで録画された番組Ｂの最初の位置（図中の破線Ｘに対して番組Ｂ側の位置）に相当する。
【００６４】
さらに、第３実施形態のシステムコントロール部１０は、サムネイル表示に対する処理も第１及び第２実施形態と相異させており、通常は、各タイトルより一画像を夫々読み出してサムネイルのデータを作成するように記録・再生部６の制御を行うが、メモリ部１３に録画に係る位置が記憶されている場合は、その位置が記憶されているタイトルからは記憶された位置に録画された画像も読み出してサムネイルのデータを作成する制御を行う。よって、例えば、同一のタイトルに対して２箇所の位置が記憶されている場合、そのタイトルからは、サムネイルのデータ作成に通常読み出される画像以外に、位置が記憶された２個の画像が読み出され、結果として計３個の画像が読み出されることになる。
【００６５】
よって、第３実施形態では、ユーザからサムネイル表示の指示が出されると、リモコン受信部１１又は操作部１２が出力受付手段として、メモリ部１３に位置が記憶された番組の画像（画像信号）の出力指示を受け付ける処理を行い、また、出力部９は、位置が記憶された番組の画像（画像信号）も含めてサムネイルのデータを出力する画像出力手段として機能する。
【００６６】
次に、第３実施形態に係る番組記録装置１に係る録画の処理手順を図７の第４フローチャートに基づき説明する。
先ず、番組記録装置１は、タイマー予約された内容に基づき録画開始を行い（Ｓ３０）、録画対象の予約番号が変化したか否かを検出する（Ｓ３１）。予約番号が変化した場合（Ｓ３１：ＹＥＳ）、番組記録装置１は、変化検出後に録画されたハードディスク部７における録画位置をメモリ部１３に記憶し（Ｓ３２）、その後、録画を継続する（Ｓ３３）。また、予約番号が変化しなかった場合（Ｓ３１：ＮＯ）、そのまま録画を継続する（Ｓ３３）。
【００６７】
さらに、上述したように各番組を録画した状況において番組記録装置１が行うサムネイル表示に係る処理手順は、図８の第５フローチャートが示す内容になる。
即ち、番組記録装置１のシステムコントロール部１０は、メモリ部１３に録画に係る位置が記憶されているか否かを判断し（Ｓ４０）、位置が記憶されている場合（Ｓ４０：ＹＥＳ）、各タイトルの画像及び位置が記憶された画像を読み出してサムネイルのデータを作成する（Ｓ４１）。また、位置が記憶されていない場合は（Ｓ４０：ＮＯ）、各タイトルの画像でサムネイルのデータを作成する（Ｓ４２）。
【００６８】
その後、番組記録装置１は、ユーザからサムネイル表示の指示を受け付けたか否かを判断し（Ｓ４３）、指示を受け付けない場合は（Ｓ４３：ＮＯ）指示待ちとなり、指示を受け付けた場合は（Ｓ４３：ＹＥＳ）、出力部９からモニタ装置２０へ作成したサムネイルのデータを出力する（Ｓ４４）。よって、第３実施形態では、図１１に示すような状態で相異する番組が同一のタイトルで録画された状態になるが、各番組に係る画像はサムネイルで表示されるため、ユーザは録画された各番組を容易に検索できる。
【００６９】
なお、第３実施形態の番組記録装置１においても各種変形例の適用が可能であり、上述した予約番号の変化を検出する場合は、番組記録装置１からＶＰＳ／ＰＤＣ信号検出部５を省略する構成も可能であり、また、第１実施形態の変形例と同様にハードディスク以外の記憶媒体を用いることが可能である。
【００７０】
さらに、第３実施形態の番組記録装置１は第１実施形態と同様に、システムコントロール部１０がＶＰＳ／ＰＤＣ信号に係る開始コードの変化を検出し、変化を検出した場合、変化後に録画された記録媒体における録画位置をメモリ部１３に記憶するようにしてもよい。さらに、第１実施形態の図５に係る一変形例と同様に、録画指示が有るか否かを検出し、録画指示が有る場合、録画指示後に録画された記録媒体の録画位置をメモリ部１３に記憶する態様にすることも可能である。このような変形例の場合でも、録画された各画像をサムネイルで表示できる。
【図面の簡単な説明】
【００７１】
【図１】本発明の第１実施形態に係る番組記録装置に係るブロック図である。
【図２】予約管理テーブルを示す図表である。
【図３】タイマー予約に係る処理手順を示す第１フローチャートである。
【図４】（ａ）は番組の放送状況を示す概略図であり、（ｂ）は緊急番組の放送により放送状況が変化した場合を示す概略図である。
【図５】第１実施形態の変形例の番組記録装置に係る録画処理の手順を示す第２フローチャートである。
【図６】第２実施形態の番組記録装置に係る録画処理の手順を示す第３フローチャートである。
【図７】第３実施形態の番組記録装置に係る録画処理の手順を示す第４フローチャートである。
【図８】第３実施形態の番組記録装置に係るサムネイルのデータ出力手順を示す第５フローチャートである。
【図９】各番組が相異するタイトルで録画された状況を示す概略図である。
【図１０】サムネイルでの表示を示す概略図である。
【図１１】複数の番組が同一のタイトルで録画された状況を示す概略図である。
【符号の説明】
【００７２】
１  番組記録装置
２  外部入力部
３  チューナ部
４  入力選択部
５  ＶＰＳ／ＰＤＣ信号検出部
６  記録・再生部
７  ハードディスク部
８  再生処理部
９  出力部
１０  システムコントロール部
１１  リモコン受信部
１２  操作部
１３  メモリ部
１５  リモコン装置
２０  モニタ装置
２１  アンテナ
２５  放送局
３０  予約管理テーブル
【図１】
2005204176.tif 000003
【図２】
2005204176.tif 000004
【図３】
2005204176.tif 000005
【図４】
2005204176.tif 000006
【図５】
2005204176.tif 000007
【図６】
2005204176.tif 000008
【図７】
2005204176.tif 000009
【図８】
2005204176.tif 000010
【図９】
2005204176.tif 000011
【図１０】
2005204176.tif 000012
【図１１】
2005204176.tif 000013